(57)【要約】  衣類処理装置のハウジング構造及び衣類処理装置であって、衣類処理装置のハウジング構造は後Ｕ板（１６）を含んでいる。後Ｕ板（１６）は、２本の垂直折り返し辺（２２）を折り曲げることで、横断面が「Ｕ」型をなし、衣類処理装置のハウジングを取り囲む左右の側壁及び後壁を形成する。ハウジングの左右の側壁には少なくとも１つの持ち手部（７）がそれぞれ設けられている。また、後Ｕ板（１６）には、ハウジングの内部と連通する通気口（１１）が更に設けられている。衣類処理装置のハウジングを左右の側壁と後壁を含む後Ｕ板（１６）とすることで、本体のハウジング構造が簡略化され、強度が強化されるとともに、組み立て効率が向上する。また、後Ｕ板（１６）には通気口（１１）が集積されているため、洗濯機内部の熱の散逸及び通気に有利である。更に、本体内に設けられた風路と通気口（１１）を連通させることで、ハウジングに設けられた通気口（１１）を通じて外部との換気を行うとの目的が実現される。本構造はシンプルであり、効果が著しく、利用普及に適している。【選択図】図５
2021512728.tif 000002
【特許請求の範囲】
【請求項１】
後Ｕ板を含み、前記後Ｕ板は、２本の垂直折り返し辺を折り曲げることで、横断面が「Ｕ」型をなし、衣類処理装置のハウジングを取り囲む左右の側壁及び後壁を形成する、衣類処理装置のハウジング構造であって、
ハウジングの左右の側壁には少なくとも１つの持ち手部がそれぞれ設けられており、後Ｕ板には、ハウジングの内部と連通する通気口が更に設けられていることを特徴とするハウジング構造。
【請求項２】
ハウジングの左右の側壁は、後Ｕ板の垂直中心線に対して対称に設置され、ハウジングの左右の側壁の中央部には少なくとも２つの持ち手部がそれぞれ設けられており、各持ち手部はいずれも後Ｕ板の同一水平高さに設置され、
好ましくは、ハウジングの左右の側壁の左側と右側に持ち手部が１つずつ設けられていることを特徴とする請求項１に記載の衣類処理装置のハウジング構造。
【請求項３】
前記持ち手部は、後Ｕ板に固定装着されるハンドル本体を含んでおり、ハンドル本体には衣類処理装置の内部に凹陥する凹溝が設けられており、凹溝の開口は衣類処理装置の外部に向かって設置されており、
好ましくは、凹溝の開口は衣類処理装置の外部を向いており、且つ下向きに傾斜して設置されることを特徴とする請求項２に記載の衣類処理装置のハウジング構造。
【請求項４】
衣類処理装置内には、上下に重ねて設置される第１衣類処理槽と第２衣類処理槽が含まれており、前記持ち手部は、第１衣類処理槽と第２衣類処理槽の間の高さに設置されていることを特徴とする請求項１〜３のいずれか１項に記載の衣類処理装置のハウジング構造。
【請求項５】
外気が通気口を通じて風路の内部で然るべく流動するよう、通気口は、後Ｕ板により構成される衣類処理装置の左側壁又は右側壁の上部に設けられるとともに、衣類処理装置内に設けられた風路の端部と連通し、
好ましくは、前記通気口には格子状の遮蔽蓋が設置されており、外部の水流が衣類処理装置のハウジング内部に流れ込むとの事態が防止されるよう、格子状の遮蔽蓋は通気口を然るべく覆うように装着されることを特徴とする請求項１〜４のいずれか１項に記載の衣類処理装置のハウジング構造。
【請求項６】
格子状の遮蔽蓋は、水平に間隔を置いて配置される複数の横遮蔽リブを含んでおり、衣類処理装置の外部の水流を横遮蔽リブ沿いに通気口を迂回して流動するよう案内すべく、各横遮蔽リブは、いずれも上側から下側に向かって、次第に衣類処理装置のハウジングの外方向に傾斜するよう設けられ、
好ましくは、各横遮蔽リブの上側は同一垂直面に設けられており、各横遮蔽リブの下側と、下側において隣接する横遮蔽リブの上側とがそれぞれ一定の隙間を隔てることで、気流が隙間から通気口を通過するよう保証し、
更に好ましくは、各横遮蔽リブの下側は、下側において隣接する横遮蔽リブの高さよりも低いか面一に設けられることを特徴とする請求項５に記載の衣類処理装置のハウジング構造。
【請求項７】
各横遮蔽リブの両端はそれぞれ支持リングに固定され、支持リングの外周は通気口の孔径と等しい大きさであり、且つ然るべく密封接続され、
好ましくは、格子状の遮蔽蓋には少なくとも１本の垂直に延伸する縦遮蔽リブが更に設けられており、各縦遮蔽リブの両端はそれぞれ支持リングに固定接続され、且つ、縦遮蔽リブは、各横遮蔽リブを順に貫通して固定接続され、
更に好ましくは、格子状の遮蔽蓋と衣類処理装置の後Ｕ板は一体的に設けられることを特徴とする請求項６に記載の衣類処理装置のハウジング構造。
【請求項８】
衣類処理装置の左側壁と右側壁には、上から下へ間隔を置いて配置される複数の押し型がそれぞれ設けられており、且つ、左側壁と右側壁に設けられる押し型は対称に設置され、
好ましくは、通気口の少なくとも一部が、衣類処理装置の側壁における押し型と重なるように設置され、
更に好ましくは、持ち手部の上下両側には、それぞれ押し型が密接して設けられることを特徴とする請求項１〜７のいずれか１項に記載の衣類処理装置のハウジング構造。
【請求項９】
衣類処理装置の左側壁及び右側壁の底部には、水平に間隔を置いて配置される複数のネジ孔が設けられており、後Ｕ板と衣類処理装置の支持フレームが、ネジ孔に挿通されたネジによって固定接続され、
好ましくは、衣類処理装置における後側壁の下端の一方の側には排水口が設けられており、且つ、後側壁の上端の一方の側には給水口が設けられており、他方の側には電源コード装着口が設けられており、
更に好ましくは、後側壁には検査修理装着口が更に設けられており、後Ｕ板には後背カバープレートが取り外し可能に装着されており、後背カバープレートは、固定装着後に検査修理装着口を然るべく覆うことを特徴とする請求項１〜８のいずれか１項に記載の衣類処理装置のハウジング構造。
【請求項１０】
後Ｕ板は、２本の垂直折り返し辺を折り曲げることで、横断面が「Ｕ」型をなし、衣類処理装置のハウジングを取り囲む左右の側壁及び後壁を形成し、後壁には上下２つの検査修理装着口が設けられており、且つ、後壁には、対応する検査修理装着口をそれぞれ覆う上後背カバープレートと下後背カバープレートが装着されていることを特徴とする請求項１〜９のいずれか１項に記載の衣類処理装置のハウジング構造。
【請求項１１】
衣類処理装置内には、上下に重ねて設置される第１衣類処理槽と第２衣類処理槽が含まれており、前記上検査修理装着口は第１衣類処理槽と第２衣類処理槽の少なくとも一部に対応しており、下検査修理装着口は第２衣類処理槽の少なくとも一部に対応していることを特徴とする請求項１０に記載の衣類処理装置のハウジング構造。
【請求項１２】
前記上検査修理装着口は、上端の水平幅が大きく、下端の水平幅が小さい開口とし、且つ、上検査修理装着口の上側辺は、中心から両側に向かって次第に下方へ湾曲する円弧線分であり、両側の辺は、後壁の垂直中心線に対して対称に設けられる直線部であり、下側の辺は水平に延伸する直線部であり、
好ましくは、上検査修理装着口の隣り合う辺の交差箇所には円弧状の面取り部が設けられていることを特徴とする請求項１１に記載の衣類処理装置のハウジング構造。
【請求項１３】
前記下検査修理装着口は長方形の開口とし、下検査修理装着口の水平幅は、上検査修理装着口の最大水平幅よりも大きく、
好ましくは、長方形の開口における４つの隅部には円弧状の面取り部がそれぞれ設けられていることを特徴とする請求項１１に記載の衣類処理装置のハウジング構造。
【請求項１４】
上後背カバープレートと下後背カバープレートは、それぞれ取り外し可能に後壁の一方の側に固定装着され、
好ましくは、上後背カバープレートは後壁に固定装着され、上後背カバープレートの一部は、水平方向において上検査修理装着口の全領域に対応して重ねられ、下後背カバープレートは後壁に固定装着され、下後背カバープレートの一部は、水平方向において下検査修理装着口の全領域に対応して重ねられ、
更に好ましくは、上後背カバープレートの外周は、上検査修理装着口から突出するとともに、後壁に然るべく密接し、密接箇所は、少なくとも１つのネジによって取り外し可能に固定装着され、下後背カバープレートの外周は、下検査修理装着口から突出するとともに、後壁に然るべく密接し、密接箇所は、少なくとも１つのネジによって取り外し可能に固定装着されることを特徴とする請求項１０〜１３のいずれか１項に記載の衣類処理装置のハウジング構造。
【請求項１５】
ハウジングの左右の側壁は、後Ｕ板の垂直中心線に対して対称に設置され、ハウジングの左右の側壁の中央部には少なくとも２つの持ち手部がそれぞれ設けられており、各持ち手部はいずれも後Ｕ板の同一水平高さに設置され、
好ましくは、ハウジングの左右の側壁の左側と右側に持ち手部が１つずつ設けられており、
更に好ましくは、前記持ち手部は、第１衣類処理槽と第２衣類処理槽の間の高さに設置されていることを特徴とする請求項１０〜１４のいずれか１項に記載の衣類処理装置のハウジング構造。
【請求項１６】
後Ｕ板により構成される衣類処理装置の左側壁又は右側壁の上部には通気口が設けられており、外気が通気口を通じて風路の内部で然るべく流動するよう、通気口は衣類処理装置内に設けられた風路の端部と連通し、
好ましくは、前記通気口には格子状の遮蔽蓋が設置されており、外部の雨水が衣類処理装置のハウジング内部に流れ込むとの事態が防止されるよう、格子状の遮蔽蓋は通気口を然るべく覆うように装着され、
更に好ましくは、格子状の遮蔽蓋は、水平に間隔を置いて配置される複数の横遮蔽リブを含んでおり、衣類処理装置の外部の雨水を横遮蔽リブ沿いに通気口を迂回して流動するよう案内すべく、各横遮蔽リブは、いずれも上側から下側に向かって、次第に衣類処理装置のハウジングの外方向に傾斜するよう設けられることを特徴とする請求項１０〜１３のいずれか１項に記載の衣類処理装置のハウジング構造。
【請求項１７】
衣類処理装置の左側壁と右側壁には、上から下へ間隔を置いて配置される複数の押し型がそれぞれ設けられており、且つ、左側壁と右側壁に設けられる押し型は対称に設置され、
好ましくは、通気口の少なくとも一部が、衣類処理装置の側壁における押し型と重なるように設置され、
更に好ましくは、持ち手部の上下両側には、それぞれ押し型が密接して設けられることを特徴とする請求項１０〜１６のいずれか１項に記載の衣類処理装置のハウジング構造。
【請求項１８】
衣類処理装置の左側壁及び右側壁の底部には、水平に間隔を置いて配置される複数のネジ孔が設けられており、後Ｕ板と衣類処理装置の支持フレームが、ネジ孔に挿通されたネジによって固定接続されることを特徴とする請求項１０〜１７のいずれか１項に記載の衣類処理装置のハウジング構造。
【請求項１９】
衣類処理装置のハウジング構造であって、衣類処理装置が支持フレームを有しており、ハウジング構造が支持フレームの左右両側にそれぞれ敷設される側板を含む衣類処理装置のハウジング構造において、
衣類処理装置の側板には、ユーザが衣類処理装置を移動させる際に把持する少なくとも１つの持ち手部が設けられており、更に、側板には、衣類処理装置の内部と連通する通気口が設けられていることを特徴とするハウジング構造。
【請求項２０】
側板の中央部には少なくとも２つの持ち手部が設けられており、各持ち手部はいずれも側板の同一水平高さに設置され、
好ましくは、側板の左側と右側に持ち手部が１つずつ設けられていることを特徴とする請求項１９に記載の衣類処理装置のハウジング構造。
【請求項２１】
前記持ち手部は、側板に固定装着されるハンドル本体を含んでおり、ハンドル本体には衣類処理装置の内部に凹陥する凹溝が設けられており、凹溝の開口は衣類処理装置の外部に向かって設置されており、
好ましくは、凹溝の開口は衣類処理装置の外部を向いており、且つ下向きに傾斜して設置されることを特徴とする請求項２０に記載の衣類処理装置のハウジング構造。
【請求項２２】
衣類処理装置内には、上下に重ねて設置される第１衣類処理槽と第２衣類処理槽が含まれており、前記持ち手部は、第１衣類処理槽と第２衣類処理槽の間の高さに設置されていることを特徴とする請求項１９〜２１のいずれか１項に記載の衣類処理装置のハウジング構造。
【請求項２３】
外気が通気口を通じて風路の内部で然るべく流動するよう、通気口は側板の上部に設けられるとともに、衣類処理装置内に設けられた風路の端部と連通し、
好ましくは、前記通気口には格子状の遮蔽蓋が設置されており、外部の水流が衣類処理装置のハウジング内部に流れ込むとの事態が防止されるよう、格子状の遮蔽蓋は通気口を然るべく覆うように装着されることを特徴とする請求項１９〜２２のいずれか１項に記載の衣類処理装置のハウジング構造。
【請求項２４】
格子状の遮蔽蓋は、水平に間隔を置いて配置される複数の横遮蔽リブを含んでおり、衣類処理装置の外部の水流を横遮蔽リブ沿いに通気口を迂回して流動するよう案内すべく、各横遮蔽リブは、いずれも上側から下側に向かって、次第に衣類処理装置のハウジングの外方向に傾斜するよう設けられ、
好ましくは、各横遮蔽リブの上側は同一垂直面に設けられており、各横遮蔽リブの下側と、下側において隣接する横遮蔽リブの上側とがそれぞれ一定の隙間を隔てることで、気流が隙間から通気口を通過するよう保証し、
更に好ましくは、各横遮蔽リブの下側は、下側において隣接する横遮蔽リブの高さよりも低いか面一に設けられることを特徴とする請求項２３に記載の衣類処理装置のハウジング構造。
【請求項２５】
各横遮蔽リブの両端はそれぞれ支持リングに固定され、支持リングの外周は通気口の孔径と等しい大きさであり、且つ然るべく密封接続され、
好ましくは、格子状の遮蔽蓋には少なくとも１本の垂直に延伸する縦遮蔽リブが更に設けられており、各縦遮蔽リブの両端はそれぞれ支持リングに固定接続され、且つ、縦遮蔽リブは、各横遮蔽リブを順に貫通して固定接続され、
更に好ましくは、格子状の遮蔽蓋と衣類処理装置の側板は一体的に設けられることを特徴とする請求項２４に記載の衣類処理装置のハウジング構造。
【請求項２６】
衣類処理装置の側板には、上から下へ間隔を置いて配置される複数の押し型が設けられており、
好ましくは、通気口の少なくとも一部が、衣類処理装置の側板における押し型と重なるように設置され、
更に好ましくは、持ち手部の上下両側には、それぞれ押し型が密接して設けられることを特徴とする請求項１９〜２５のいずれか１項に記載の衣類処理装置のハウジング構造。
【請求項２７】
側板の底部には、水平に間隔を置いて配置される複数のネジ孔が設けられており、側板と衣類処理装置の支持フレームが、ネジ孔に挿通されたネジによって固定接続されることを特徴とする請求項１９〜２６のいずれか１項に記載の衣類処理装置のハウジング構造。
【請求項２８】
衣類処理装置の支持フレームが、衣類処理装置の後側に設けられる２本の垂直に延伸する縦ビームを含む衣類処理装置のハウジング構造であって、
支持フレームの後側には、上下にずらして設置され、支持フレームに固定装着される上後背板と下後背板が設けられていることを特徴とするハウジング構造。
【請求項２９】
支持フレームは、衣類処理装置の後側の中央部の高さに設置される後補強部材を含んでおり、後補強部材の両端はそれぞれ２本の縦ビームに固定接続され、上後背板は後補強部材の上部に設けられ、下後背板は後補強部材の下部に設けられ、
好ましくは、後補強部材は水平に延伸しており、後補強部材の両端は、それぞれ支持フレームの後側における２本の縦ビームに固定接続されることを特徴とする請求項２８に記載の衣類処理装置のハウジング構造。
【請求項３０】
上後背板は、後補強部材から支持フレームの上部の間の領域を覆い、且つ、上後背板の左右両側は、それぞれ対応する側の縦ビームに然るべく密接して固定接続され、下後背板は、後補強部材から支持フレームの底部の間の領域を覆い、且つ、下後背板の左右両側は、それぞれ対応する側の縦ビームに然るべく密接して固定接続され、
好ましくは、上後背板の下側は後補強部材の上側に然るべく密接して固定接続され、下後背板の上側は後補強部材の下側に然るべく密接して固定接続され、
更に好ましくは、支持フレームの両側をそれぞれ覆うように側板が敷設されており、両側の側板の後側辺には、互いに近接する方向に屈曲する水平の折り返しがそれぞれ設けられており、水平の折り返しが対応する側の後縦ビームに然るべく密接し、上後背板と下後背板の左右両側が、それぞれ側板の折り返しに然るべく密接することを特徴とする請求項２９に記載の衣類処理装置のハウジング構造。
【請求項３１】
衣類処理装置内には、上下に重ねて設置される第１衣類処理槽と第２衣類処理槽が含まれており、後補強部材は第１衣類処理槽と第２衣類処理槽の間に設けられており、
好ましくは、後補強部材には、梱包位置決めロッドを挿通して装着するための少なくとも１つの装着孔が設けられていることを特徴とする請求項２９に記載の衣類処理装置のハウジング構造。
【請求項３２】
上後背板と下後背板には、それぞれ一方の側に突出する少なくとも１つの押し型が設けられていることを特徴とする請求項２８〜３１のいずれか１項に記載の衣類処理装置のハウジング構造。
【請求項３３】
支持フレームの底部はベースから構成され、ベースの後側の上側は、下後板の下側に然るべく密接して固定接続されることを特徴とする請求項２８〜３２のいずれか１項に記載の衣類処理装置のハウジング構造。
【請求項３４】
支持フレームの上部には、支持フレームの上部を水平に覆う盤面が装着されており、盤面の後側には、下方に屈曲する折り返しが設けられており、折り返しの下側が上後背板の上側に然るべく密接して固定接続されることを特徴とする請求項２８〜３３のいずれか１項に記載の衣類処理装置のハウジング構造。
【請求項３５】
第１衣類処理槽又は第２衣類処理槽は、衣類の乾燥処理機能のみを有する乾燥槽であり、第１衣類処理槽及び／又は第２衣類処理槽の後部は、装着プレートを介して支持フレームに固定装着され、上後背板及び／又は下後背板には切り欠きが設けられており、前記切り欠きと第１衣類処理槽及び／又は第２衣類処理槽の後部の装着プレートとが然るべく重なり合って設置され、
好ましくは、第１衣類処理槽及び／又は第２衣類処理槽の後部の装着プレートが、上後背板及び／又は下後背板に然るべく密着して設置され、
更に好ましくは、第１衣類処理槽及び／又は第２衣類処理槽の後部の装着プレートと上後背板及び／又は下後背板は、それぞれ支持フレームの後側における２本の縦ビームの対向する両側に装着されることを特徴とする請求項２８〜３４のいずれか１項に記載の衣類処理装置のハウジング構造。
【請求項３６】
上後背板の上部は、中心から両側に向かって徐々に下向きに湾曲する斜面をなしており、衣類処理装置の後側の上部の両端には、上後背板と支持フレームにより囲まれる切り欠きが形成され、
好ましくは、第１衣類処理槽の後部は、装着プレートを介して支持フレームに固定装着され、装着プレートの上部の両端には、給水口と電源コード挿通口がそれぞれ設けられており、前記給水口及び電源コード挿通口は、それぞれ上後背板と支持フレームの間の切り欠きに然るべく設けられ、
更に好ましくは、ベースの後側には、排水弁が装着される排水口が設けられていることを特徴とする請求項３５に記載の衣類処理装置のハウジング構造。
【請求項３７】
衣類を処理する第１衣類処理槽と第２衣類処理槽が設けられており、請求項１〜３６のいずれか１項に記載のハウジング構造が装着されていることを特徴とする衣類処理装置。
【発明の詳細な説明】
【技術分野】
【０００１】
本発明は衣類処理装置の分野に関し、特に、２つの衣類処理槽を有する衣類処理装置の支持フレームに関し、とりわけ、前記衣類処理装置に応用される側板構造に関する。
【背景技術】
【０００２】
衣類処理装置は、家電製品として人々の生活に幅広く利用されている。衣類処理装置のハウジングにも様々なものが登場しており、一体構造のものもあれば、複数の部材からなる組立構造のものもある。しかし、一体構造の衣類処理装置のハウジングには、加工コストが嵩み、材料や性能に対する要求が高いとの欠点がある。また、複数の部材からなる組立構造の衣類処理装置のハウジングの多くには、接続方式に起因して、成型が難しく、強度に劣るとの課題が存在する。
【０００３】
衣類処理装置のハウジングは、いずれも一定の強度を持った支持フレームの外部をハウジングカバープレートで被覆してなる。一般的に、従来の衣類処理装置では、複数の支持ロッドで直方体の辺を構成して直方体を規定したあと、各支持ロッドの接触箇所を固定することで衣類処理装置の支持フレームを形成している。
【０００４】
例えば、特許文献１の衣類処理装置のハウジングの構造は、前面板、背面板、左側板及び右側板を含み、左上辺ビーム、上前ビーム及び右上辺ビームから構成される上フレームと背面板の上部が固定接続される。また、左下辺ビーム、下前ビーム及び右下辺ビームから構成される下フレームと背面板の底部が固定接続される。左上辺ビームと左下辺ビームの間には左側板が固定装着されており、上前ビームと下前ビームの間には前面板が固定装着されており、右上辺ビームと右下辺ビームの間には右側板が固定装着されている。
【０００５】
しかし、従来の支持フレームは、ダブルドラム衣類処理装置への応用時に付与する支持強度が不足しており、上下２つのドラムに十分な装着支持強度を付与することができない。
【０００６】
上記に鑑みて、本発明を提案する。
【先行技術文献】
【特許文献】
【０００７】
【特許文献１】中国特許第２００９２０２４１０６２．６号明細書
【発明の概要】
【発明が解決しようとする課題】
【０００８】
本発明は、上下に配置される２つの衣類処理槽の側部の被覆を実現するために、衣類処理装置の側板構造を提供することを目的とする。また、もう一つの目的は、衣類処理装置の便利且つ迅速な運搬を実現することである。また、別の目的は、衣類処理装置の内部の２つの衣類処理槽についてそれぞれ然るべきメンテナンス及び検査・修理を実現可能とすることである。また、更なる目的は、本体に通気経路を合理的に設置して、機器のハウジング内部の温度を低下させるために、衣類処理装置のハウジング構造を提供することである。発明の目的を実現するために、以下の技術方案を用いる。
【課題を解決するための手段】
【０００９】
衣類処理装置のハウジング構造であって、後Ｕ板を含む。後Ｕ板は、２本の垂直折り返し辺を折り曲げることで、横断面が「Ｕ」型をなし、衣類処理装置のハウジングを取り囲む左右の側壁及び後壁を形成する。後壁には上下２つの検査修理装着口が設けられている。また、後壁には、対応する検査修理装着口をそれぞれ覆う上後背カバープレートと下後背カバープレートが装着されている。
【００１０】
更に、衣類処理装置内には、上下に重ねて設置される第１衣類処理槽と第２衣類処理槽が含まれている。前記上検査修理装着口は第１衣類処理槽と第２衣類処理槽の少なくとも一部に対応しており、下検査修理装着口は第２衣類処理槽の少なくとも一部に対応している。
【００１１】
更に、前記上検査修理装着口は、上端の水平幅が大きく、下端の水平幅が小さい開口とする。且つ、上検査修理装着口の上側辺は、中心から両側に向かって次第に下方へ湾曲する円弧線分であり、両側の辺は、後壁の垂直中心線に対して対称に設けられる直線部であり、下側の辺は水平に延伸する直線部である。好ましくは、上検査修理装着口の隣り合う辺の交差箇所には円弧状の面取り部が設けられている。
【００１２】
更に、前記下検査修理装着口は長方形の開口とする。下検査修理装着口の水平幅は、上検査修理装着口の最大水平幅よりも大きい。好ましくは、長方形の開口における４つの隅部には円弧状の面取り部がそれぞれ設けられている。
【００１３】
更に、上後背カバープレートと下後背カバープレートは、それぞれ取り外し可能に後壁の一方の側に固定装着される。好ましくは、上後背カバープレートは後壁に固定装着される。上後背カバープレートの一部は、水平方向において上検査修理装着口の全領域に対応して重ねられる。下後背カバープレートは後壁に固定装着される。下後背カバープレートの一部は、水平方向において下検査修理装着口の全領域に対応して重ねられる。更に好ましくは、上後背カバープレートの外周は、上検査修理装着口から突出するとともに、後壁に然るべく密接する。また、密接箇所は、少なくとも１つのネジによって取り外し可能に固定装着される。下後背カバープレートの外周は、下検査修理装着口から突出するとともに、後壁に然るべく密接する。また、密接箇所は、少なくとも１つのネジによって取り外し可能に固定装着される。
【００１４】
更に、ハウジングの左右の側壁は、後Ｕ板の垂直中心線に対して対称に設置される。ハウジングの左右の側壁の中央部には少なくとも２つの持ち手部がそれぞれ設けられている。各持ち手部は、いずれも後Ｕ板の同一水平高さに設置される。好ましくは、ハウジングの左右の側壁の左側と右側に持ち手部が１つずつ設けられている。更に好ましくは、前記持ち手部は、第１衣類処理槽と第２衣類処理槽の間の高さに設置されている。
【００１５】
更に、後Ｕ板により構成される衣類処理装置の左側壁又は右側壁の上部には通気口が設けられている。通気口は衣類処理装置内に設けられた風路の端部と連通しているため、外気は通気口を通じて風路の内部で然るべく流動する。好ましくは、前記通気口には格子状の遮蔽蓋が設置されている。外部の雨水が衣類処理装置のハウジング内部に流れ込むとの事態が防止されるよう、格子状の遮蔽蓋は通気口を然るべく覆うように装着される。更に好ましくは、格子状の遮蔽蓋は、水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の雨水は、横遮蔽リブ沿いに通気口を迂回して流動するよう案内される。
【００１６】
更に、衣類処理装置の左側壁と右側壁には、上から下へ間隔を置いて配置される複数の押し型がそれぞれ設けられている。且つ、左側壁と右側壁に設けられる押し型は対称に設置される。好ましくは、通気口の少なくとも一部が、衣類処理装置の側壁における押し型と重なるように設置される。更に好ましくは、持ち手部の上下両側には、それぞれ押し型が密接して設けられる。
【００１７】
更に、衣類処理装置の左側壁及び右側壁の底部には、水平に間隔を置いて配置される複数のネジ孔が設けられている。これにより、後Ｕ板と衣類処理装置の支持フレームが、ネジ孔に挿通されたネジによって固定接続される。
【００１８】
本発明は、更に、衣類を処理する第１衣類処理槽と第２衣類処理槽が設けられており、上記いずれかで記載したハウジング構造が装着されている衣類処理装置に関する。
【００１９】
上記の技術方案によれば、本発明は従来技術に対して以下の利点を有する。
【００２０】
衣類処理装置のハウジングを左右の側壁と後壁を含む後Ｕ板とすることで、本体のハウジング構造が簡略化され、強度が強化されるとともに、組み立て効率が向上する。且つ、後Ｕ板の後壁に上下に設置される取り外し可能な２枚の後背カバープレートを設置することで、機器の上部及び下部の領域の組み立て及び修繕を別々に行いやすくなる。
【００２１】
本発明の更なる目的は、本体に通気経路を合理的に設置して、機器のハウジング内部の温度を低下させるために、衣類処理装置のハウジング構造を提供することである。発明の目的を実現するために、以下の技術方案を用いる。
【００２２】
衣類処理装置のハウジング構造であって、後Ｕ板を含む。後Ｕ板は、２本の垂直折り返し辺を折り曲げることで、横断面が「Ｕ」型をなし、衣類処理装置のハウジングを取り囲む左右の側壁及び後壁を形成する。ハウジングの左右の側壁には少なくとも１つの持ち手部がそれぞれ設けられている。また、後Ｕ板には、ハウジングの内部と連通する通気口が更に設けられている。
【００２３】
更に、ハウジングの左右の側壁は、後Ｕ板の垂直中心線に対して対称に設置される。ハウジングの左右の側壁の中央部には少なくとも２つの持ち手部がそれぞれ設けられている。各持ち手部は、いずれも後Ｕ板の同一水平高さに設置される。好ましくは、ハウジングの左右の側壁の左側と右側に持ち手部が１つずつ設けられている。
【００２４】
更に、前記持ち手部は、後Ｕ板に固定装着されるハンドル本体を含んでいる。ハンドル本体には衣類処理装置の内部に凹陥する凹溝が設けられており、凹溝の開口は衣類処理装置の外部に向かって設置されている。好ましくは、凹溝の開口は衣類処理装置の外部を向いており、且つ下向きに傾斜して設置される。
【００２５】
更に、衣類処理装置内には、上下に重ねて設置される第１衣類処理槽と第２衣類処理槽が含まれている。前記持ち手部は、第１衣類処理槽と第２衣類処理槽の間の高さに設置されている。
【００２６】
更に、通気口は、後Ｕ板により構成される衣類処理装置の左側壁又は右側壁の上部に設けられるとともに、衣類処理装置内に設けられた風路の端部と連通する。これにより、外気は通気口を通じて風路の内部で然るべく流動する。好ましくは、前記通気口には格子状の遮蔽蓋が設置されている。外部の水流が衣類処理装置のハウジング内部に流れ込むとの事態が防止されるよう、格子状の遮蔽蓋は通気口を然るべく覆うように装着される。
【００２７】
更に、格子状の遮蔽蓋は、水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の水流は、横遮蔽リブ沿いに通気口を迂回して流動するよう案内される。好ましくは、各横遮蔽リブの上側は同一垂直面に設けられている。また、各横遮蔽リブの下側と、下側において隣接する横遮蔽リブの上側とがそれぞれ一定の隙間を隔てることで、気流が隙間から通気口を通過するよう保証する。更に好ましくは、各横遮蔽リブの下側は、下側において隣接する横遮蔽リブの高さよりも低いか面一に設けられる。
【００２８】
更に、各横遮蔽リブの両端はそれぞれ支持リングに固定される。支持リングの外周は通気口の孔径と等しい大きさであり、且つ然るべく密封接続される。好ましくは、格子状の遮蔽蓋には少なくとも１本の垂直に延伸する縦遮蔽リブが更に設けられている。各縦遮蔽リブは、両端がそれぞれ支持リングに固定接続される。且つ、縦遮蔽リブは、各横遮蔽リブを順に貫通して固定接続される。更に好ましくは、格子状の遮蔽蓋と衣類処理装置の後Ｕ板は一体的に設けられる。
【００２９】
更に、衣類処理装置の左側壁と右側壁には、上から下へ間隔を置いて配置される複数の押し型がそれぞれ設けられている。且つ、左側壁と右側壁に設けられる押し型は対称に設置される。好ましくは、通気口の少なくとも一部が、衣類処理装置の側壁における押し型と重なるように設置される。更に好ましくは、持ち手部の上下両側には、それぞれ押し型が密接して設けられる。
【００３０】
更に、衣類処理装置の左側壁及び右側壁の底部には、水平に間隔を置いて配置される複数のネジ孔が設けられている。これにより、後Ｕ板と衣類処理装置の支持フレームが、ネジ孔に挿通されたネジによって固定接続される。好ましくは、衣類処理装置における後側壁の下端の一方の側には排水口が設けられている。また、後側壁の上端の一方の側には給水口が設けられており、他方の側には電源コード装着口が設けられている。更に好ましくは、後側壁には検査修理装着口が更に設けられており、後Ｕ板には後背カバープレートが取り外し可能に装着されている。後背カバープレートは、固定装着後に検査修理装着口を然るべく覆う。
【００３１】
本発明は、更に、衣類を処理する第１衣類処理槽と第２衣類処理槽が設けられており、上記いずれかで記載したハウジング構造が装着されている衣類処理装置に関する。
【００３２】
上記の技術方案によれば、本発明は従来技術に対して以下の利点を有する。
【００３３】
衣類処理装置のハウジングを左右の側壁と後壁を含む後Ｕ板とすることで、本体のハウジング構造が簡略化され、強度が強化されるとともに、組み立て効率が向上する。また、後Ｕ板には通気口が集積されているため、洗濯機内部の熱の散逸及び通気に有利である。更に、本体内に設けられた風路と通気口を連通させることで、ハウジングに設けられた通気口を通じて外部との換気を行うとの目的が実現される。
【００３４】
衣類処理装置のハウジングに取り外し可能な後背カバープレートを設置することで、本体のハウジング構造が簡略化され、強度が強化されるとともに、組み立て効率が向上する。且つ、後Ｕ板の後壁に取り外し可能な後背カバープレートを設置することで、機器の内部領域の組み立て及び修繕を別々に行いやすくなる。
【００３５】
本発明の更なる目的は、本体に通気経路を合理的に設置して、機器のハウジング内部の温度を低下させるために、衣類処理装置の側板構造を提供することである。発明の目的を実現するために、以下の技術方案を用いる。
【００３６】
衣類処理装置の側板構造であって、衣類処理装置の側板には、ユーザが衣類処理装置を移動させる際に把持する少なくとも１つの持ち手部が設けられている。更に、側板には、衣類処理装置の内部と連通する通気口が設けられている。
【００３７】
更に、側板の中央部には少なくとも２つの持ち手部が設けられている。各持ち手部は、いずれも側板の同一水平高さに設置される。好ましくは、側板の左側と右側に持ち手部が１つずつ設けられている。
【００３８】
更に、前記持ち手部は、側板に固定装着されるハンドル本体を含んでいる。ハンドル本体には衣類処理装置の内部に凹陥する凹溝が設けられており、凹溝の開口は衣類処理装置の外部に向かって設置されている。好ましくは、凹溝の開口は衣類処理装置の外部を向いており、且つ下向きに傾斜して設置される。
【００３９】
更に、衣類処理装置内には、上下に重ねて設置される第１衣類処理槽と第２衣類処理槽が含まれている。前記持ち手部は、第１衣類処理槽と第２衣類処理槽の間の高さに設置されている。
【００４０】
更に、通気口は側板の上部に設けられるとともに、衣類処理装置内に設けられた風路の端部と連通する。これにより、外気は通気口を通じて風路の内部で然るべく流動する。好ましくは、前記通気口には格子状の遮蔽蓋が設置されている。外部の水流が衣類処理装置のハウジング内部に流れ込むとの事態が防止されるよう、格子状の遮蔽蓋は通気口を然るべく覆うように装着される。
【００４１】
更に、格子状の遮蔽蓋は水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の水流は、横遮蔽リブ沿いに通気口を迂回して流動するよう案内される。好ましくは、各横遮蔽リブの上側は同一垂直面に設けられている。また、各横遮蔽リブの下側と、下側において隣接する横遮蔽リブの上側とがそれぞれ一定の隙間を隔てることで、気流が隙間から通気口を通過するよう保証する。更に好ましくは、各横遮蔽リブの下側は、下側において隣接する横遮蔽リブの高さよりも低いか面一に設けられる。
【００４２】
更に、各横遮蔽リブの両端はそれぞれ支持リングに固定される。支持リングの外周は通気口の孔径と等しい大きさであり、且つ然るべく密封接続される。好ましくは、格子状の遮蔽蓋には少なくとも１本の垂直に延伸する縦遮蔽リブが更に設けられている。各縦遮蔽リブは、両端がそれぞれ支持リングに固定接続される。且つ、縦遮蔽リブは、各横遮蔽リブを順に貫通して固定接続される。更に好ましくは、格子状の遮蔽蓋と衣類処理装置の側板は一体的に設けられる。
【００４３】
更に、衣類処理装置の側板には、上から下へ間隔を置いて配置される複数の押し型が設けられている。好ましくは、通気口の少なくとも一部が、衣類処理装置の側板における押し型と重なるように設置される。更に好ましくは、持ち手部の上下両側には、それぞれ押し型が密接して設けられる。
【００４４】
更に、側板の底部には、水平に間隔を置いて配置される複数のネジ孔が設けられている。これにより、側板と衣類処理装置の支持フレームが、ネジ孔に挿通されたネジによって固定接続される。
【００４５】
本発明のその他の目的は、衣類を処理する第１衣類処理槽と第２衣類処理槽が設けられており、上記いずれかで記載した側板構造が装着されている衣類処理装置を提供することである。
【００４６】
上記の技術方案によれば、本発明は従来技術に対して以下の利点を有する。
【００４７】
衣類処理装置の側板に持ち手部を設けることで、ユーザは、持ち手部を直接把持することで衣類処理装置を容易且つ迅速に移動させられる。また、側板には通気口が設置されているため、洗濯機内部の熱の散逸及び通気に有利である。更に、衣類処理装置の風路は側部の通気口を通じて外部と連通可能である。これにより、衣類処理装置の換気経路を衣類処理装置の側部に設置することで、衣類処理装置の組み立てを容易とし、組み立て効率を向上させるとの目的が実現される。
【００４８】
本発明の更なる目的は、上下に配置される２つの衣類処理槽の後部の被覆を実現するために、衣類処理装置の後板構造を提供することである。また、その他の目的は、ユーザによる衣類処理装置の内部のメンテナンスや検査・修理を行いやすくすることである。発明の目的を実現するために、以下の技術方案を用いる。
【００４９】
衣類処理装置の後板構造であって、衣類処理装置が支持フレームを有する。支持フレームは、衣類処理装置の後側に設けられる２本の垂直に延伸する縦ビームを含む。支持フレームの後側には、上下にずらして設置され、支持フレームに固定装着される上後背板と下後背板が設けられている。
【００５０】
更に、支持フレームは、衣類処理装置の後側の中央部の高さに設置される後補強部材を含んでいる。後補強部材の両端はそれぞれ２本の縦ビームに固定接続される。また、上後背板は後補強部材の上部に設けられ、下後背板は後補強部材の下部に設けられる。好ましくは、後補強部材は水平に延伸しており、後補強部材の両端は、それぞれ支持フレームの後側における２本の縦ビームに固定接続される。
【００５１】
更に、上後背板は、後補強部材から支持フレームの上部の間の領域を覆う。且つ、上後背板の左右両側は、それぞれ対応する側の縦ビームに然るべく密接して固定接続される。下後背板は、後補強部材から支持フレームの底部の間の領域を覆う。且つ、下後背板の左右両側は、それぞれ対応する側の縦ビームに然るべく密接して固定接続される。好ましくは、上後背板の下側は後補強部材の上側に然るべく密接して固定接続され、下後背板の上側は後補強部材の下側に然るべく密接して固定接続される。更に好ましくは、支持フレームの両側をそれぞれ覆うように側板が敷設されている。また、両側の側板の後側辺には、互いに近接する方向に屈曲する水平の折り返しがそれぞれ設けられており、水平の折り返しが対応する側の後縦ビームに然るべく密接する。また、上後背板と下後背板の左右両側が、それぞれ側板の折り返しに然るべく密接する。
【００５２】
更に、衣類処理装置内には、上下に重ねて設置される第１衣類処理槽と第２衣類処理槽が含まれており、後補強部材は第１衣類処理槽と第２衣類処理槽の間に設けられている。好ましくは、後補強部材には、梱包位置決めロッドを挿通して装着するための少なくとも１つの装着孔が設けられている。
【００５３】
更に、上後背板と下後背板には、それぞれ一方の側に突出する少なくとも１つの押し型が設けられている。
【００５４】
更に、支持フレームの底部はベースから構成される。ベースの後側の上側は、下後板の下側に然るべく密接して固定接続される。
【００５５】
更に、支持フレームの上部には、支持フレームの上部を水平に覆う盤面が装着されている。盤面の後側には、下方に屈曲する折り返しが設けられており、折り返しの下側が上後背板の上側に然るべく密接して固定接続される。
【００５６】
更に、第１衣類処理槽又は第２衣類処理槽は、衣類の乾燥処理機能のみを有する乾燥槽である。第１衣類処理槽及び／又は第２衣類処理槽の後部は、装着プレートを介して支持フレームに固定装着される。上後背板及び／又は下後背板には切り欠きが設けられており、前記切り欠きと第１衣類処理槽及び／又は第２衣類処理槽の後部の装着プレートとが然るべく重なり合って設置される。好ましくは、第１衣類処理槽及び／又は第２衣類処理槽の後部の装着プレートが、上後背板及び／又は下後背板に然るべく密着して設置される。更に好ましくは、第１衣類処理槽及び／又は第２衣類処理槽の後部の装着プレートと上後背板及び／又は下後背板は、それぞれ支持フレームの後側における２本の縦ビームの対向する両側に装着される。
【００５７】
更に、上後背板の上部は、中心から両側に向かって徐々に下向きに湾曲する斜面をなしている。そのため、衣類処理装置の後側の上部の両端には、上後背板と支持フレームにより囲まれる切り欠きが形成される。好ましくは、第１衣類処理槽の後部は、装着プレートを介して支持フレームに固定装着される。装着プレートの上部の両端には、給水口と電源コード挿通口がそれぞれ設けられている。前記給水口及び電源コード挿通口は、それぞれ上後背板と支持フレームの間の切り欠きに然るべく設けられる。更に好ましくは、ベースの後側には、排水弁が装着される排水口が設けられている。
【００５８】
本発明は、更に、衣類を処理する第１衣類処理槽と第２衣類処理槽が設けられており、上記いずれかで記載した後板構造が装着されている衣類処理装置に関する。
【００５９】
上記の技術方案によれば、本発明は従来技術に対して以下の利点を有する。
【００６０】
衣類処理装置の後板に上下に設置される取り外し可能な２枚の後背カバープレートを設けることで、機器の上部及び下部の領域の組み立て及び修繕を別々に行いやすくなる。且つ、第１衣類処理槽及び第２衣類処理槽にそれぞれ対応するよう、後板に後背板を上下にずらして設置することで、第１衣類処理槽と第２衣類処理槽の組み立て、検査・修理及びメンテナンスを別々に実行するとの目的が実現される。これにより、本体のハウジング内部のアセンブリを検査・修理する際の利便性が向上する。
【００６１】
且つ、本発明は構造がシンプルであり、効果が著しく、利用普及に適している。
【図面の簡単な説明】
【００６２】
【図１】図１は、本発明の一実施例における衣類処理装置の側板構造を示す図である。
【図２】図２は、本発明の一実施例における衣類処理装置の背面構造を示す図である。
【図３】図３は、本発明の一実施例における衣類処理装置の上後背板構造を示す図である。
【図４】図４は、本発明の一実施例における衣類処理装置の下後背板構造を示す図である。
【図５】図５は、本発明の一実施例における衣類処理装置の後Ｕ板構造を示す図である。
【図６】図６は、本発明の他の実施例における衣類処理装置の後Ｕ板構造を示す図である。
【図７】図７は、本発明の一実施例における衣類処理装置の支持フレーム構造を示す図である。
【図８】図８は、本発明の実施例の図７におけるＩ部分の拡大構造を示す図である。
【図９】図９は、本発明の実施例の図７におけるＩＩ部分の拡大構造を示す図である。
【図１０】図１０は、本発明の一実施例における衣類処理装置のフレーム構造を示す図である。
【図１１】図１１は、本発明の一実施例における衣類処理装置の装着構造を示す図である。
【図１２】図１２は、本発明の一実施例における別の角度から見た衣類処理装置の装着構造を示す図である。
【発明を実施するための形態】
【００６３】
以下に、実施例を組み合わせて、本発明につき更に詳細に説明する。
【００６４】
図１〜図１２に示すように、本発明の実施例では、衣類処理装置について説明する。当該衣類処理装置は支持フレーム１００を含んでいる。支持フレーム１００は、自身の外側を取り囲むハウジングによって外殻を規定する。外殻の内部には、上下に重ねて設置される第１衣類処理槽と第２衣類処理槽が設けられている。前記第１衣類処理槽と第２衣類処理槽は、それぞれバネ及び／又は制震部材を介して支持フレームに装着されている。前記第１衣類処理槽と第２衣類処理槽は、衣類洗浄機能と乾燥機能の双方を有していてもよいし、洗浄機能のみを有していてもよいし、乾燥機能のみを有していてもよい。好ましくは、本発明の実施例において、上方に設けられる第１衣類処理槽は乾燥機能のみを有し、下方に設けられる第２衣類処理槽は洗浄機能と乾燥機能の双方を有する。
【実施例１】
【００６５】
図１に示すように、本実施例では、衣類処理装置の側板について説明する。衣類処理装置の側板９には、ユーザが衣類処理装置を移動させる際に把持する少なくとも１つの持ち手部７が設けられている。更に、側板９には、衣類処理装置の内部と連通する通気口１１が設けられている。
【００６６】
衣類処理装置の側板に持ち手部を設けることで、ユーザは、持ち手部を直接把持することで衣類処理装置を容易且つ迅速に移動させられる。且つ、側板に通気口を設けることで、側部の通気口を通じて衣類処理装置の風路を外部と連通させることが可能である。これにより、衣類処理装置の換気経路を衣類処理装置の側部に設置することで、衣類処理装置の組み立てを容易とし、組み立て効率を向上させるとの目的が実現される。
【００６７】
本実施例において、側板９の中央部には少なくとも２つの持ち手部７が設けられている。各持ち手部７は、いずれも側板の同一水平高さに設置される。好ましくは、側板９の左側と右側に持ち手部７が１つずつ設けられている。衣類処理装置の左右の側壁の前後両端に持ち手部を１つずつ設けることで、重量の大きな衣類処理装置を２人で移動させる際に、４本の手で同時に本体の運搬操作を行うことが可能となる。
【００６８】
本実施例において、前記持ち手部７は、側板９に固定装着されるハンドル本体を含んでいる。ハンドル本体には衣類処理装置の内部に凹陥する凹溝が設けられており、凹溝の開口は衣類処理装置の外部に向かって設置されている。好ましくは、凹溝の開口は衣類処理装置の外部を向いており、且つ下向きに傾斜して設置される。
【００６９】
本実施例において、衣類処理装置内には、上下に重ねて設置される第１衣類処理槽と第２衣類処理槽が含まれている。前記持ち手部７は、第１衣類処理槽と第２衣類処理槽の間の高さに設置されている。両側の持ち手を同一の高さに設置することで、ユーザによる衣類処理装置の移動が容易となる。
【００７０】
本実施例において、通気口１１は側板９の上部に設けられるとともに、衣類処理装置内に設けられた風路の端部と連通する。これにより、外気は通気口を通じて風路の内部で然るべく流動する。通気口を側板の上部に設けることで、衣類処理装置の風路の通気口が本体の上部に設置されるため、通気口から流出又は流入する気体は本体の上側の気流となる。これにより、機器を操作するユーザに対する通風気流の干渉が低下し、ユーザエクスペリエンス効果が向上する。
【００７１】
本実施例では、前記通気口１１に格子状の遮蔽蓋１２が設置されている。外部の水流が衣類処理装置のハウジング内部に流れ込むとの事態が防止されるよう、格子状の遮蔽蓋１２は通気口１１を然るべく覆うように装着される。通気口に格子状の遮蔽蓋を設置して、衣類処理装置の外殻の外壁に付着する水流を遮断することで、水流が気体とともに通気口内に流れ込むとの事態が回避されるため、衣類処理装置の正常な使用が保証される。
【００７２】
本実施例において、格子状の遮蔽蓋１２は、水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の水流は、横遮蔽リブ沿いに通気口を迂回して流動するよう案内される。好ましくは、各横遮蔽リブの上側は同一垂直面に設けられている。また、各横遮蔽リブの下側と、下側において隣接する横遮蔽リブの上側とがそれぞれ一定の隙間を隔てることで、気流が隙間から通気口を通過するよう保証する。より好ましくは、各横遮蔽リブの下側は、下側において隣接する横遮蔽リブの高さよりも低いか面一に設けられる。
【００７３】
本実施例では、各横遮蔽リブの両端がそれぞれ支持リングに固定される。支持リングの外周は通気口の孔径と等しい大きさであり、且つ然るべく密封接続される。好ましくは、格子状の遮蔽蓋には少なくとも１本の垂直に延伸する縦遮蔽リブが更に設けられている。各縦遮蔽リブは、両端がそれぞれ支持リングに固定接続される。且つ、縦遮蔽リブは、各横遮蔽リブを順に貫通して固定接続される。より好ましくは、格子状の遮蔽蓋と衣類処理装置の側板は一体的に設けられる。
【００７４】
本実施例において、衣類処理装置の側板９には、上から下へ間隔を置いて配置される複数の押し型１０が設けられている。側壁の上下各部分に複数の押し型をそれぞれ設けることで、衣類処理装置の側壁の支持強度が向上するため、衣類処理装置の全体強度が強化され、機器運転時の震動が低下する。好ましくは、通気口の少なくとも一部は、衣類処理装置の側板における押し型と重なるように設置される。通気口を押し型内に設置することで、通気口の外周強度が向上する。より好ましくは、持ち手部の上下両側にそれぞれ密接するよう押し型を設けることで、持ち手部の上下方向のねじり耐性を向上させる。これにより、ユーザが持ち手部を把持する際の安定度が向上し、持ち手部の脱落が回避される。
【００７５】
本実施例において、側板９の底部には、水平に間隔を置いて配置される複数のネジ孔１３が設けられている。これにより、側板９と衣類処理装置の支持フレーム１００が、ネジ孔１３に挿通されたネジによって固定接続される。
【実施例２】
【００７６】
図２〜図４に示すように、本実施例では、衣類処理装置の後板構造について説明する。衣類処理装置は支持フレーム１００を有している。支持フレーム１００は、衣類処理装置の後側に設けられる２本の垂直に延伸する縦ビーム１を含む。支持フレーム１００の後側には、上下にずらして設置され、支持フレーム１００に固定装着される上後背板１４と下後背板１５が設けられている。
【００７７】
衣類処理装置の後板に上下に設置される取り外し可能な２枚の後背カバープレートを設けることで、機器の上部及び下部の領域の組み立て及び修繕を別々に行いやすくなる。且つ、第１衣類処理槽及び第２衣類処理槽にそれぞれ対応するよう、後板に後背板を上下にずらして設置することで、第１衣類処理槽と第２衣類処理槽の組み立て、検査・修理及びメンテナンスを別々に実行するとの目的が実現される。これにより、本体のハウジング内部のアセンブリを検査・修理する際の利便性が向上する。
【００７８】
本実施例において、支持フレーム１００は、衣類処理装置の後側の中央部の高さに設置される後補強部材８を含んでいる。後補強部材８の両端はそれぞれ２本の縦ビーム１に固定接続される。また、上後背板１４は後補強部材の上部に設けられ、下後背板１５は後補強部材８の下部に設けられる。好ましくは、後補強部材８は水平に延伸しており、後補強部材８の両端は、それぞれ支持フレーム１００の後側における２本の縦ビーム１に固定接続される。更に好ましくは、支持フレームの両側をそれぞれ覆うように側板９が敷設されている。また、両側の側板９の後側辺には、互いに近接する方向に屈曲する水平の折り返しがそれぞれ設けられており、水平の折り返しが対応する側の後縦ビーム１に然るべく密接する。また、上後背板１４と下後背板１５の左右両側が、それぞれ側板９の折り返しに然るべく密接する。
【００７９】
本実施例において、後補強部材８には、梱包位置決めロッドを挿通して装着するための少なくとも１つの装着孔２３が設けられている。
【００８０】
後補強部材を設け、梱包運搬ロッドに対し装着位置を提供することで、洗濯機の運搬過程では、後方から前方に向かって、梱包運搬ロッドを後補強部材、第１衣類処理槽及び／又は第２衣類処理槽に対し順に挿通する。これにより、運搬過程で第１衣類処理槽及び第２衣類処理槽を位置規制及び支持するとの目的が実現される。
【００８１】
本実施例において、上後背板１４は、後補強部材８から支持フレーム１００の上部の間の領域を覆う。且つ、上後背板１４の左右両側は、それぞれ対応する側の縦ビーム１に然るべく密接して固定接続される。下後背板１５は、後補強部材８から支持フレーム１００の底部の間の領域を覆う。且つ、下後背板１５の左右両側は、それぞれ対応する側の縦ビーム１に然るべく密接して固定接続される。好ましくは、上後背板１４の下側は後補強部材８の上側に然るべく密接して固定接続され、下後背板１５の上側は後補強部材８の下側に然るべく密接して固定接続される。
【００８２】
本実施例において、衣類処理装置内には、上下に重ねて設置される第１衣類処理槽と第２衣類処理槽が含まれており、後補強部材は第１衣類処理槽と第２衣類処理槽の間に設けられている。
【００８３】
本実施例において、上後背板１４と下後背板１５には、それぞれ一方の側に突出する少なくとも１つの押し型１０が設けられている。
【００８４】
本実施例において、支持フレーム１００の底部はベース３から構成される。ベース３の後側の上側は、下後背板１５の下側に然るべく密接して固定接続される。
【００８５】
本実施例において、支持フレーム１００の上部には、支持フレームの上部を水平に覆う盤面が装着されている。盤面の後側には、下方に屈曲する折り返しが設けられており、折り返しの下側が上後背板１４の上側に然るべく密接して固定接続される。
【００８６】
本実施例において、第１衣類処理槽又は第２衣類処理槽は、衣類の乾燥処理機能のみを有する乾燥槽である。第１衣類処理槽及び／又は第２衣類処理槽の後部は、装着プレートを介して支持フレーム１００に固定装着される。上後背板１４及び／又は下後背板１５には切り欠きが設けられており、前記切り欠きと第１衣類処理槽及び／又は第２衣類処理槽の後部の装着プレートとが然るべく重なり合って設置される。好ましくは、第１衣類処理槽及び／又は第２衣類処理槽の後部の装着プレート２８が、上後背板１４及び／又は下後背板１５に然るべく密着して設置される。更に好ましくは、第１衣類処理槽及び／又は第２衣類処理槽の後部の装着プレート２８と上後背板１４及び／又は下後背板１５は、それぞれ支持フレーム１００の後側における２本の縦ビーム１の対向する両側に装着される。
【００８７】
本実施例において、上後背板１４の上部は、中心から両側に向かって徐々に下向きに湾曲する斜面をなしている。そのため、衣類処理装置の後側の上部の両端には、上後背板１４と支持フレーム１００により囲まれる切り欠きが形成される。好ましくは、第１衣類処理槽の後部は、装着プレート２８を介して支持フレーム１００に固定装着される。また、装着プレート２８の上部の両端には、給水口１８と電源コード挿通口１９がそれぞれ設けられている。前記給水口及び電源コード挿通口は、それぞれ上後背板１４と支持フレーム１００の間の切り欠きに然るべく設けられる。更に好ましくは、ベース３の後側には、排水弁が装着される排水口１７が設けられている。
【実施例３】
【００８８】
図１〜図４に示すように、本実施例では、衣類処理装置について説明する。当該衣類処理装置の左側板又は右側板は、上記実施例１で記載した側板から構成され、後板は、上記実施例２で記載した後板から構成される。また、もう一方の側板は、通気口を有していない点で上記実施例１とは異なっている。
【実施例４】
【００８９】
図５に示すように、本実施例では、後Ｕ板１６を含む衣類処理装置のハウジング構造について説明する。後Ｕ板１６は、２本の垂直折り返し辺２２を折り曲げることで、横断面が「Ｕ」型をなし、衣類処理装置のハウジングを取り囲む左右の側壁及び後壁を形成する。後壁には上下２つの検査修理装着口２０，２１が設けられている。また、後壁には、対応する検査修理装着口をそれぞれ覆う上後背カバープレート１４と下後背カバープレート１５が装着されている。
【００９０】
衣類処理装置のハウジングを左右の側壁と後壁を含む後Ｕ板とすることで、本体のハウジング構造が簡略化され、強度が強化されるとともに、組み立て効率が向上する。且つ、後Ｕ板の後壁に、上下に設置される取り外し可能な２枚の後背カバープレートを設置することで、機器の上部及び下部の領域の組み立て及び修繕を別々に行いやすくなる。
【００９１】
本実施例において、衣類処理装置内には、上下に重ねて設置される第１衣類処理槽と第２衣類処理槽が含まれている。前記上検査修理装着口２０は第１衣類処理槽と第２衣類処理槽の少なくとも一部に対応しており、下検査修理装着口２１は第２衣類処理槽の少なくとも一部に対応している。第１衣類処理槽及び第２衣類処理槽にそれぞれ対応するよう、後Ｕ板に後背板を上下にずらして設置することで、第１衣類処理槽と第２衣類処理槽の組み立て、検査・修理及びメンテナンスを別々に実行するとの目的が実現される。これにより、本体のハウジング内部のアセンブリを検査・修理する際の利便性が向上する。
【００９２】
本実施例において、前記上検査修理装着口２０は、上端の水平幅が大きく、下端の水平幅が小さい開口とする。且つ、上検査修理装着口２０の上側辺は、中心から両側に向かって次第に下方へ湾曲する円弧線分であり、両側の辺は、後壁の垂直中心線に対して対称に設けられる直線部であり、下側の辺は水平に延伸する直線部である。好ましくは、上検査修理装着口２０の隣り合う辺の交差箇所に円弧状の面取り部が設けられている。
【００９３】
本実施例において、前記下検査修理装着口２１は長方形の開口とする。下検査修理装着口２１の水平幅は、上検査修理装着口の最大水平幅よりも大きい。好ましくは、長方形の開口における４つの隅部に円弧状の面取り部がそれぞれ設けられている。
【００９４】
本実施例において、上後背カバープレート１４と下後背カバープレート１５は、それぞれ取り外し可能に後壁の一方の側に固定装着される。好ましくは、後背カバープレートが本体から突出してユーザ又は物品を傷つけたり損傷させたりすることのないよう、上後背カバープレート１４と下後背カバープレート１５はいずれも本体の内部寄りの側に装着される。
【００９５】
本実施例において、上後背カバープレート１４は後壁に固定装着される。上後背カバープレート１４の一部は、水平方向において上検査修理装着口２０の全領域に対応して重ねられる。下後背カバープレート１５は後壁に固定装着される。下後背カバープレート１５の一部は、水平方向において下検査修理装着口２１の全領域に対応して重ねられる。好ましくは、上後背カバープレート１４の外周は、上検査修理装着口２０から突出するとともに、後壁に然るべく密接する。また、密接箇所は、少なくとも１つのネジによって取り外し可能に固定装着される。下後背カバープレート１５の外周は、下検査修理装着口２１から突出するとともに、後壁に然るべく密接する。また、密接箇所は、少なくとも１つのネジによって取り外し可能に固定装着される。
【００９６】
本実施例において、ハウジングの左右の側壁は、後Ｕ板１６の垂直中心線に対して対称に設置される。ハウジングの左右の側壁の中央部には少なくとも２つの持ち手部７がそれぞれ設けられている。各持ち手部７は、いずれも後Ｕ板の同一水平高さに設置される。好ましくは、ハウジングの左右の側壁の左側と右側に持ち手部７が１つずつ設けられている。更に好ましくは、前記持ち手部７は、第１衣類処理槽と第２衣類処理槽の間の高さに設置されている。
【００９７】
本実施例において、後Ｕ板１６により構成される衣類処理装置の左側壁又は右側壁の上部には通気口１１が設けられている。通気口１１は衣類処理装置内に設けられた風路の端部と連通しているため、外気は通気口を通じて風路の内部で然るべく流動する。好ましくは、前記通気口１１には格子状の遮蔽蓋１２が設置されている。外部の水流が衣類処理装置のハウジング内部に流れ込むとの事態が防止されるよう、格子状の遮蔽蓋１２は通気口を然るべく覆うように装着される。更に好ましくは、格子状の遮蔽蓋１２は、水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の水流は、横遮蔽リブ沿いに通気口を迂回して流動するよう案内される。
【００９８】
本実施例において、衣類処理装置の左側壁と右側壁には、上から下へ間隔を置いて配置される複数の押し型１０がそれぞれ設けられている。且つ、左側壁と右側壁に設けられる押し型１０は対称に設置される。好ましくは、通気口１１の少なくとも一部が、衣類処理装置の側壁における押し型１０と重なるように設置される。更に好ましくは、持ち手部７の上下両側には、それぞれ押し型１０が密接して設けられる。
【００９９】
本実施例において、衣類処理装置の左側壁及び右側壁の底部には、水平に間隔を置いて配置される複数のネジ孔１３が設けられている。これにより、側板と衣類処理装置の支持フレームが、ネジ孔１３に挿通されたネジによって固定接続される。
【実施例５】
【０１００】
図６に示すように、本実施例では、後Ｕ板１６を含む衣類処理装置のハウジング構造について説明する。後Ｕ板１６は、２本の垂直折り返し辺２２を折り曲げることで、横断面が「Ｕ」型をなし、衣類処理装置のハウジングを取り囲む左右の側壁及び後壁を形成する。ハウジングの左右の側壁には少なくとも１つの持ち手部７がそれぞれ設けられている。また、後Ｕ板１６には、ハウジングの内部と連通する通気口１１が更に設けられている。
【０１０１】
衣類処理装置のハウジングを左右の側壁と後壁を含む後Ｕ板とすることで、本体のハウジング構造が簡略化され、強度が強化されるとともに、組み立て効率が向上する。且つ、後Ｕ板に通気口を集積し、本体内に設けられた風路と通気口を連通させることで、ハウジングに設けられた通気口を通じて外部との換気を行うとの目的が実現される。
【０１０２】
本実施例において、ハウジングの左右の側壁は、後Ｕ板１６の垂直中心線に対して対称に設置される。ハウジングの左右の側壁の中央部には少なくとも２つの持ち手部７がそれぞれ設けられている。各持ち手部７は、いずれも後Ｕ板１６の同一水平高さに設置される。好ましくは、ハウジングの左右の側壁の左側と右側に持ち手部７が１つずつ設けられている。
【０１０３】
本実施例において、前記持ち手部７は、後Ｕ板１６に固定装着されるハンドル本体を含んでいる。ハンドル本体には衣類処理装置の内部に凹陥する凹溝が設けられており、凹溝の開口は衣類処理装置の外部に向かって設置されている。好ましくは、凹溝の開口は衣類処理装置の外部を向いており、且つ下向きに傾斜して設置される。
【０１０４】
本実施例において、衣類処理装置内には、上下に重ねて設置される第１衣類処理槽と第２衣類処理槽が含まれている。前記持ち手部７は、第１衣類処理槽と第２衣類処理槽の間の高さに設置されている。
【０１０５】
本実施例において、通気口１１は、後Ｕ板１６により構成される衣類処理装置の左側壁又は右側壁の上部に設けられるとともに、衣類処理装置内に設けられた風路の端部と連通する。これにより、外気は通気口を通じて風路の内部で然るべく流動する。通気口を本体の一方の側壁の上部に設けることで、衣類処理装置の風路の通気口が本体の上部に設置されるため、通気口から流出又は流入する気体は本体の上側の気流となる。これにより、機器を操作するユーザに対する通風気流の干渉が低下し、ユーザエクスペリエンス効果が向上する。
【０１０６】
本実施例では、前記通気口１１に格子状の遮蔽蓋１２が設置されている。格子状の遮蔽蓋１２を通気口１１に然るべく被せて装着することで、外部の水流が衣類処理装置のハウジング内部に流れ込むとの事態が防止される。
【０１０７】
本実施例において、格子状の遮蔽蓋１２は、水平に間隔を置いて配置される複数の横遮蔽リブを含んでいる。各横遮蔽リブは、いずれも上側から下側に向かって、次第に衣類処理装置のハウジングの外方向に傾斜するよう設けられる。これにより、衣類処理装置の外部の水流は、横遮蔽リブ沿いに通気口を迂回して流動するよう案内される。好ましくは、各横遮蔽リブの上側は同一垂直面に設けられている。また、各横遮蔽リブの下側と、下側において隣接する横遮蔽リブの上側とがそれぞれ一定の隙間を隔てることで、気流が隙間から通気口を通過するよう保証する。更に好ましくは、各横遮蔽リブの下側は、下側において隣接する横遮蔽リブの高さよりも低いか面一に設けられる。
【０１０８】
本実施例では、各横遮蔽リブの両端がそれぞれ支持リングに固定される。支持リングの外周は通気口の孔径と等しい大きさであり、且つ然るべく密封接続される。好ましくは、格子状の遮蔽蓋には少なくとも１本の垂直に延伸する縦遮蔽リブが更に設けられている。各縦遮蔽リブは、両端がそれぞれ支持リングに固定接続される。且つ、縦遮蔽リブは、各横遮蔽リブを順に貫通して固定接続される。更に好ましくは、格子状の遮蔽蓋と衣類処理装置の側板は一体的に設けられる。
【０１０９】
本実施例において、衣類処理装置の左側壁と右側壁には、上から下へ間隔を置いて配置される複数の押し型１０がそれぞれ設けられている。且つ、左側壁と右側壁に設けられる押し型は対称に設置される。好ましくは、通気口１１の少なくとも一部が、衣類処理装置の側壁における押し型１０と重なるように設置される。更に好ましくは、持ち手部７の上下両側には、それぞれ押し型１０が密接して設けられる。
【０１１０】
本実施例において、衣類処理装置の左側壁及び右側壁の底部には、水平に間隔を置いて配置される複数のネジ孔１３が設けられている。これにより、側壁と衣類処理装置の支持フレーム１００が、ネジ孔１３に挿通されたネジによって固定接続される。好ましくは、衣類処理装置における後側壁の下端の一方の側には排水口１７が設けられている。また、後側壁の上端の一方の側には給水口１８が設けられており、他方の側には電源コード装着口１９が設けられている。より好ましくは、後側壁には検査修理装着口２４が更に設けられており、後Ｕ板１６には後背カバープレート２５が取り外し可能に装着されている。後背カバープレート２５は、固定装着後に検査修理装着口２４を然るべく覆う。
【実施例６】
【０１１１】
図１０〜図１２に示すように、本実施例では、衣類処理装置のフレーム構造について説明する。衣類処理装置は、支持フレーム１００と、上下に設置される第１衣類処理槽及び第２衣類処理槽を含む。第１衣類処理槽と第２衣類処理槽の間には上槽ベース２が設けられている。前記上槽ベース２は、衣類処理装置の支持フレーム１００に固定装着される。
【０１１２】
支持フレームの中央部に水平に設置される上槽ベースを固定装着することで、衣類処理装置の上下２つの衣類処理槽をそれぞれ異なるベースに然るべく装着し、２つの衣類処理槽をそれぞれ効果的に支持及び固定装着可能にするとの目的が実現される。また、第１衣類処理槽と第２衣類処理槽の間に、第１衣類処理槽を支持及び固定する上槽ベースを設け、２つの衣類処理槽を隔離することで、２つの衣類処理槽の騒音及び震動が分断されるため、共振が回避される。これにより、機器運転時の騒音が過度に大きくなり、振動が過剰に激しくなるとの事態が防止される。
【０１１３】
本実施例において、前記支持フレーム１００は、水平に配置される方形ベース３を含んでいる。ベース３の四隅には、上方へ垂直に延伸する縦ビーム１がそれぞれ設けられている。また、左右の隣り合う２本の縦ビーム１は中央補強部材４を介して接続されており、前記上槽ベース２が中央補強部材４に固定装着される。支持フレームの左右両側の中央部に中央補強部材をそれぞれ設置することで、上槽ベースに効果的な支持平面が提供されるため、上槽ベースが支持フレームにしっかりと装着固定される。
【０１１４】
本実施例において、上槽ベース２は、水平に延伸するプレート状構造をなしている。また、上槽ベース２の左右両側は、それぞれ対応する側の中央補強部材４に然るべく載置されるとともに、ネジで固定接続される。
【０１１５】
本実施例において、前記中央補強部材４は、垂直面において水平方向に延伸する帯状のプレート材である。上槽ベース２の左右の側壁は、それぞれ対応する側の中央補強部材４の内側壁に然るべく密接し、且つ、対応する密接箇所に少なくとも１つのネジにより固定接続される。
【０１１６】
本実施例において、中央補強部材４の中央部には、支持フレームの内部に向かって突出する支持押し型が設けられている。支持押し型は水平方向に延伸しており、上槽ベース２の側部の下壁が支持押し型の上側面に然るべく載置される。対向するよう突出する２つの押し型を中央補強部材に設けることで、上槽ベースを押し型の上側面に容易に載置可能とし、上槽ベースを所定の位置に装着するとの目的を達成している。
【０１１７】
本実施例において、２つの中央補強部材４の前端には上方へ垂直に延伸する上縦ビーム５がそれぞれ設けられている。上縦ビーム５の下端は、中央補強部材４及び／又は上槽ベース２に固定接続される。
【０１１８】
本実施例において、上槽ベース２の前端には上槽前補強部材２６が装着されている。更に、上槽前補強部材２６は、２本の上縦ビーム５にそれぞれ固定接続される。好ましくは、上槽前補強部材２６は、中央部から両端に向かってそれぞれ上方へ湾曲する円弧状のプレート材である。上槽前補強部材２６の中央部は上槽ベース２の前端の中央部に固定接続され、上槽前補強部材２６の両端は、それぞれ対応する側の上縦ビーム５に固定接続される。
【０１１９】
本実施例において、上縦ビーム５は、横断面が「Ｌ」型の垂直に延伸する帯状のプレート材で構成される。上縦ビーム５の下端の内側は、上槽ベース２側の対応する隅における外側壁に然るべく密接する。また、上縦ビーム５の下端は、対応する側の中央補強部材４に設置されている支持押し型に然るべく載置される。好ましくは、上縦ビーム５は、上槽ベース２の対応する密接箇所に少なくとも１つのネジにより固定接続される。
【実施例７】
【０１２０】
図７〜図９に示すように、本実施例では、衣類処理装置の支持フレームについて説明する。衣類処理装置は、上下に重ねて設置される第１衣類処理槽と第２衣類処理槽を含んでいる。支持フレーム１００は、第２衣類処理槽を載置するための下支持フレーム１０１を含む。下支持フレーム１０１の上部には上方へ延伸する上支持フレーム１０２が装着されており、前記第１衣類処理槽が上支持フレーム１０２内に装着される。支持フレームを互いに独立した上下の支持フレームとすることで、フレーム部分の取り換えやメンテナンスを可能にするとの目的が実現される。また、第１衣類処理槽と第２衣類処理をそれぞれ対応する支持フレーム部分に然るべく装着することで、装置のモジュール化管理が実現される。これにより、同一の流れ生産ラインにおいて、第２衣類処理槽のみを有する装置と、第１及び第２衣類処理槽の双方を有する装置とを生産可能になるため、装置のモジュール化度合が向上し、生産コストが低下する。
【０１２１】
図７に示すように、本実施例において、下支持フレーム１０１は、水平に設置される方形ベース３を含んでいる。ベース３の四隅には、上方へ垂直に延伸する縦ビーム１がそれぞれ設けられている。また、中央補強部材４を介して少なくとも一対の隣り合う縦ビーム１を接続固定することで、第２衣類処理槽を装着するためのフレーム構造を規定する。好ましくは、左右両側の隣接する縦ビームの間が、それぞれ左中央補強部材と右中央補強部材を介して固定接続される。より好ましくは、左中央補強部材と右中央補強部材が対称に設けられる。
【０１２２】
本実施例において、上支持フレーム１０２は、前側寄りの左右両端に設けられた上方へ垂直に延伸する２本の上縦ビーム５を含む。２本の上縦ビーム５の下端はいずれも下支持フレーム１０１に固定接続される。また、２本の上縦ビーム５の上部には、後方へ延伸する上補強部材２７がそれぞれ接続されている。
【０１２３】
本実施例において、上支持フレーム１０２の上縦ビーム５の下端は、下支持フレーム１０１の中央補強部材４及び／又は縦ビーム１の上端に固定接続される。
【０１２４】
図８に示すように、本実施例において、上縦ビーム５の下端は中央補強部材４及び／又は縦ビーム１の上端に然るべく密接し、釘により固定接続される。好ましくは、上縦ビーム５の下端の外側は中央補強部材４の内側に然るべく密着し、且つ、密接箇所に上下に設置される２つのネジを接続することで、上縦ビーム５と中央補強部材４を固定接続する。上縦ビームの下端を中央補強部材に密着させて予め位置決めしたあと、ネジで締結して組み付け及び接続することで、上縦ビームと下支持フレームとの組み付けの安定性及び装着効率が著しく向上する。
【０１２５】
図９に示すように、本実施例において、上縦ビーム５の上端には後方へ水平に屈曲するフランジ５０が設けられている。上補強部材２７の端部は、フランジ５０の上側に然るべく密着して載置されるとともに、ネジにより固定接続される。好ましくは、上縦ビーム５は、横断面が「Ｌ」型をなす２つの帯状の側板から構成されている。２つの帯状の側板とは、それぞれ、支持フレーム１００の前側に対し平行又は重なり合うように設置される前部側板５１と、支持フレーム１００の側部に対し平行又は重なり合うように設置される側部側板５２である。前部側板５１の上端には水平に延伸する開口が設けられており、側部側板５２の上端には水平に延伸する折れ線が設けられている。前記折れ線と開口は面一に設けられ、上縦ビーム５の上端が折れ線周りに後方へ９０度屈曲することで、上縦ビームの屈曲部がフランジ５０を構成する。
【０１２６】
本実施例において、前記フランジ５０は、上縦ビーム５の前部側板の上端から後方へ水平に屈曲する水平フランジ５３と、水平フランジの側部から下方へ垂直に屈曲する垂直フランジ５４を含む。前記垂直フランジ５４は、上縦ビーム５の側部側板５２に然るべく密着するように設置され、且つリベット接合により固定される。また、上補強部材２７の端部は水平フランジ５３の上側に載置され、ネジで接続される。好ましくは、水平フランジ５３の後方への延伸長さは、上縦ビーム５の側部側板５２の水平幅よりも大きい。これにより、水平フランジ５３の端部が上縦ビーム５から突出するよう設けられて、上補強部材２７の載置及び密着に供される。
【０１２７】
本実施例において、上補強部材２７は断面が「Ｌ」をなす帯状構造であり、上補強部材２７の両側の内壁が、それぞれ水平フランジ５３の上側及び垂直フランジ５４の外側に然るべく位置規制されるよう接触する。上補強部材を対応するフランジに然るべく密着させて設置することで、上補強部材の組み付け支持点が強化されるため、装置全体の安定度合が著しく向上する。
【０１２８】
本実施例において、下支持フレーム１０１の後側には中央後方補強部材８が更に設けられている。中央後方補強部材８は水平に延伸しており、両端がそれぞれ後側の２本の縦ビーム１の上部に固定接続される。
【０１２９】
本実施例において、２つの上補強部材２７の後端は、それぞれ第１衣類処理槽の装着プレート２８に接続され、後固定プレートの下端が下支持フレームに固定接続される。上記のように設置することで、上部の乾燥機能のみを有する第１衣類処理槽を上支持フレーム内に然るべく装着し、本体上部の後側の密封固定を保証する。これにより、第１衣類処理槽の後固定プレートが、接続補強部材としての機能と、構成要素の支持フレームとしての機能を兼ね備えることになる。
【０１３０】
上記実施例の実施方案は、更なる組み合わせ又は置き換えが可能である。また、実施例は本発明の好ましい実施例について述べたものにすぎず、本発明の構想及び範囲を限定するものではない。本発明の設計及び思想を逸脱しないことを前提に、当業者が本発明の技術方案について実施する各種の変形及び改良は、いずれも本発明の保護の範囲に属する。
【図１】
2021512728.tif 000003
【図２】
2021512728.tif 000004
2021512728.tif 000005
【図３】
2021512728.tif 000006
【図４】
2021512728.tif 000007
【図５】
2021512728.tif 000008
【図６】
2021512728.tif 000009
【図７】
2021512728.tif 000010
【図８】
2021512728.tif 000011
【図９】
2021512728.tif 000012
【図１０】
2021512728.tif 000013
【図１１】
2021512728.tif 000014
【図１２】
2021512728.tif 000015
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
後Ｕ板を含み、前記後Ｕ板は、２本の垂直折り返し辺を折り曲げることで、横断面が「Ｕ」型をなし、衣類処理装置のハウジングを取り囲む左右の側壁及び後壁を形成する、衣類処理装置のハウジング構造であって、  ハウジングの左右の側壁には少なくとも１つの持ち手部がそれぞれ設けられており、後Ｕ板には、ハウジングの内部と連通する通気口が更に設けられていることを特徴とするハウジング構造。
【請求項２】
衣類処理装置内には、上下に重ねて設置される第１衣類処理槽と第２衣類処理槽が含まれており、前記持ち手部は、第１衣類処理槽と第２衣類処理槽の間の高さに設置されていることを特徴とする請求項１に記載の衣類処理装置のハウジング構造。
【請求項３】
外気が通気口を通じて風路の内部で然るべく流動するよう、通気口は、後Ｕ板により構成される衣類処理装置の左側壁又は右側壁の上部に設けられるとともに、衣類処理装置内に設けられた風路の端部と連通されることを特徴とする請求項１〜２のいずれか１項に記載の衣類処理装置のハウジング構造。
【請求項４】
前記通気口には格子状の遮蔽蓋が設置されており、外部の水流が衣類処理装置のハウジング内部に流れ込むとの事態が防止されるよう、格子状の遮蔽蓋は通気口を然るべく覆うように装着され、格子状の遮蔽蓋は、水平に間隔を置いて配置される複数の横遮蔽リブを含んでおり、衣類処理装置の外部の水流を横遮蔽リブ沿いに通気口を迂回して流動するよう案内すべく、各横遮蔽リブは、いずれも上側から下側に向かって、次第に衣類処理装置のハウジングの外方向に傾斜するよう設けられることを特徴とする請求項３に記載の衣類処理装置のハウジング構造。
【請求項５】
各横遮蔽リブの両端はそれぞれ支持リングに固定され、支持リングの外周は通気口の孔径と等しい大きさであり、且つ然るべく密封接続されることを特徴とする請求項４に記載の衣類処理装置のハウジング構造。
【請求項６】
後壁には上下２つの検査修理装着口が設けられており、且つ、後壁には、対応する検査修理装着口をそれぞれ覆う上後背カバープレートと下後背カバープレートが装着されていることを特徴とする請求項１〜５のいずれか１項に記載の衣類処理装置のハウジング構造。
【請求項７】
衣類処理装置内には、上下に重ねて設置される第１衣類処理槽と第２衣類処理槽が含まれており、前記上検査修理装着口は第１衣類処理槽と第２衣類処理槽の少なくとも一部に対応しており、下検査修理装着口は第２衣類処理槽の少なくとも一部に対応していることを特徴とする請求項６に記載の衣類処理装置のハウジング構造。
【請求項８】
前記上検査修理装着口は、上端の水平幅が大きく、下端の水平幅が小さい開口とし、且つ、上検査修理装着口の上側辺は、中心から両側に向かって次第に下方へ湾曲する円弧線分であり、両側の辺は、後壁の垂直中心線に対して対称に設けられる直線部であり、下側の辺は水平に延伸する直線部であることを特徴とする請求項７に記載の衣類処理装置のハウジング構造。
【請求項９】
前記下検査修理装着口は長方形の開口とし、下検査修理装着口の水平幅は、上検査修理装着口の最大水平幅よりも大きいことを特徴とする請求項７に記載の衣類処理装置のハウジング構造。
【請求項１０】
後Ｕ板により構成される衣類処理装置の左側壁又は右側壁の上部には通気口が設けられており、外気が通気口を通じて風路の内部で然るべく流動するよう、通気口は衣類処理装置内に設けられた風路の端部と連通することを特徴とする請求項６〜９のいずれか１項に記載の衣類処理装置のハウジング構造。
【請求項１１】
衣類処理装置の左側壁と右側壁には、上から下へ間隔を置いて配置される複数の押し型がそれぞれ設けられており、且つ、左側壁と右側壁に設けられる押し型は対称に設置され、  通気口の少なくとも一部が、衣類処理装置の側壁における押し型と重なるように設置されることを特徴とする請求項６〜１０のいずれか１項に記載の衣類処理装置のハウジング構造。
【請求項１２】
衣類処理装置の支持フレームが、衣類処理装置の後側に設けられる２本の垂直に延伸する縦ビームを含む衣類処理装置のハウジング構造であって、  支持フレームの後側には、上下にずらして設置され、支持フレームに固定装着される上後背板と下後背板が設けられていることを特徴とする請求項６に記載の衣類処理装置のハウジング構造。
【請求項１３】
支持フレームは、衣類処理装置の後側の中央部の高さに設置される後補強部材を含んでおり、後補強部材の両端はそれぞれ２本の縦ビームに固定接続され、上後背板は後補強部材の上部に設けられ、下後背板は後補強部材の下部に設けられることを特徴とする請求項１２に記載の衣類処理装置のハウジング構造。
【請求項１４】
上後背板は、後補強部材から支持フレームの上部の間の領域を覆い、且つ、上後背板の左右両側は、それぞれ対応する側の縦ビームに然るべく密接して固定接続され、下後背板は、後補強部材から支持フレームの底部の間の領域を覆い、且つ、下後背板の左右両側は、それぞれ対応する側の縦ビームに然るべく密接して固定接続されることを特徴とする請求項１３に記載の衣類処理装置のハウジング構造。
【請求項１５】
衣類処理装置内には、上下に重ねて設置される第１衣類処理槽と第２衣類処理槽が含まれており、後補強部材は第１衣類処理槽と第２衣類処理槽の間に設けられていることを特徴とする請求項１３に記載の衣類処理装置のハウジング構造。
【請求項１６】
上後背板と下後背板には、それぞれ一方の側に突出する少なくとも１つの押し型が設けられていることを特徴とする請求項１２〜１５のいずれか１項に記載の衣類処理装置のハウジング構造。
【請求項１７】
支持フレームの上部には、支持フレームの上部を水平に覆う盤面が装着されており、盤面の後側には、下方に屈曲する折り返しが設けられており、折り返しの下側が上後背板の上側に然るべく密接して固定接続されることを特徴とする請求項１２〜１５のいずれか１項に記載の衣類処理装置のハウジング構造。
【請求項１８】
第１衣類処理槽又は第２衣類処理槽は、衣類の乾燥処理機能のみを有する乾燥槽であり、第１衣類処理槽及び／又は第２衣類処理槽の後部は、装着プレートを介して支持フレームに固定装着され、上後背板及び／又は下後背板には切り欠きが設けられており、前記切り欠きと第１衣類処理槽及び／又は第２衣類処理槽の後部の装着プレートとが然るべく重なり合って設置されることを特徴とする請求項１２〜１７のいずれか１項に記載の衣類処理装置のハウジング構造。
【請求項１９】
上後背板の上部は、中心から両側に向かって徐々に下向きに湾曲する斜面をなしており、衣類処理装置の後側の上部の両端には、上後背板と支持フレームにより囲まれる切り欠きが形成され、第１衣類処理槽の後部は、装着プレートを介して支持フレームに固定装着され、装着プレートの上部の両端には、給水口と電源コード挿通口がそれぞれ設けられており、前記給水口及び電源コード挿通口は、それぞれ上後背板と支持フレームの間の切り欠きに然るべく設けられていることを特徴とする請求項１８に記載の衣類処理装置のハウジング構造。  
【国際調査報告】
2021512728.tif 000016
2021512728.tif 000017
2021512728.tif 000018
2021512728.tif 000019
2021512728.tif 000020
2021512728.tif 000021